(57)【特許請求の範囲】
【請求項１】
前後方向に逃がし溝が凹設された第１ハウジングと、
前記第１ハウジングを内部に嵌合可能なフード部を有する第２ハウジングと、
前記第１ハウジングの側面から前記逃がし溝に至るまで前記両ハウジングの嵌合方向と略直角方向へ貫通されたスライダ挿入孔内を移動可能に組み付けられ、カム溝を有するスライダとを備え、
前記フード部の内周面には、前記両ハウジングが嵌合するときに前記逃がし溝に沿って前進し、かつ前記カム溝に沿って移動可能なフォロアピンが内方に向けて突設され、かつ前記フード部の奥壁には、前記フォロアピンを成形するための型抜き孔が開口しており、
前記フォロアピンの後方に位置しフォロアピンと前記型抜き孔との間に形成される空間が型抜き空間とされるコネクタであって、
前記スライダは撓み可能な係止部を有し、かつこの係止部は前記第１ハウジングと係止することで、前記スライダが前記第１ハウジングに対し、前記カム溝が前記フォロアピンを受け入れ可能な位置に組み付け可能となっており、かつ前記係止部は前記両ハウジングの嵌合途上では前記スライダ挿入孔の内面に摺接して撓み変形した状態を維持しつつ移動し、前記両ハウジングが正規嵌合に至り前記係止部が前記型抜き空間に至ったときに前記係止部は前記型抜き空間内で復帰することを特徴とするコネクタ。
【請求項２】
前記逃がし溝には開き規制部が設けられ、この開き規制部は少なくとも前記両ハウジングの嵌合途上において前記フォロアピンに係止して、前記フード部のうち前記フォロアピンが形成される面に対して開きを規制可能に形成されることを特徴とする請求項１記載のコネクタ。
【請求項３】
前記開き規制部は、前記両ハウジングの嵌合開始時から正規嵌合に至るまでの間、前記フォロアピンに係止することを特徴とする請求項２記載のコネクタ。
【発明の詳細な説明】
【技術分野】
【０００１】
本発明は、コネクタに関する。
【背景技術】
【０００２】
従来、レバータイプの両コネクタハウジングの嵌合に際し、そのままカムピンをカム溝に受け入れることができるように、レバー側には初期位置の保持のための撓み片が設けられる構造が採用されてきた。このようなコネクタの一般的構造としては、下記特許文献１に記載のものが知られている。一方、倍力機構付きのコネクタにはレバー式の他、スライド式と呼ばれる形式のものがある。具体的には雌コネクタハウジングの側面からカム溝を持ったスライダが組み込まれ、一方、雄コネクタハウジングのフードにはカムピンが備えられ、スライダのスライド操作によって、雄雌の嵌め合いを行うものも知られている。こうしたタイプでは、初期位置の保持のための撓み片は、雌コネクタハウジングに係止し、嵌合に際してこの係止を解除させるようになっている。
【特許文献１】特開２００５−２０３１６３公報
【発明の開示】
【発明が解決しようとする課題】
【０００３】
しかしながら、このものは両コネクタハウジングの嵌合途上において撓み片が撓み状態となるのだが、嵌合完了しても撓み状態のままでは、へたりの問題を生じるため、嵌合完了に伴って復帰させねばならない。そのため、雌コネクタハウジングの内部に、復帰のための専用スペースを確保しなければならず、雌コネクタハウジングの小型化の障害となっていた。本発明は上記のような事情に基づいて完成されたものであって、型抜き空間内を積極的に利用して、コネクタ全体の小型化を図ることを目的とする。
【課題を解決するための手段】
【０００４】
上記の目的を達成するための手段として、請求項１の発明は、前後方向に逃がし溝が凹設された第１ハウジングと、前記第１ハウジングを内部に嵌合可能なフード部を有する第２ハウジングと、前記第１ハウジングの側面から前記逃がし溝に至るまで前記両ハウジングの嵌合方向と略直角方向へ貫通されたスライダ挿入孔内を移動可能に組み付けられ、カム溝を有するスライダとを備え、前記フード部の内周面には、前記両ハウジングが嵌合するときに前記逃がし溝に沿って前進し、かつ前記カム溝に沿って移動可能なフォロアピンが内方に向けて突設され、かつ前記フード部の奥壁には、前記フォロアピンを成形するための型抜き孔が開口しており、前記フォロアピンの後方に位置しフォロアピンと前記型抜き孔との間に形成される空間が型抜き空間とされるコネクタであって、前記スライダは撓み可能な係止部を有し、かつこの係止部は前記第１ハウジングと係止することで、前記スライダが前記第１ハウジングに対し、前記カム溝が前記フォロアピンを受け入れ可能な位置に組み付け可能となっており、かつ前記係止部は前記両ハウジングの嵌合途上では前記スライダ挿入孔の内面に摺接して撓み変形した状態を維持しつつ移動し、前記両ハウジングが正規嵌合に至り前記係止部が前記型抜き空間に至ったときに前記係止部は前記型抜き空間内で復帰する構成としたところに特徴を有する。
【０００５】
請求項２の発明は、請求項１に記載のものにおいて、前記逃がし溝には開き規制部が設けられ、この開き規制部は少なくとも前記両ハウジングの嵌合途上において前記フォロアピンに係止して、前記フード部のうち前記フォロアピンが形成される面に対して開きを規制可能に形成されるところに特徴を有する。
【０００６】
請求項３の発明は、請求項２に記載のものにおいて、前記開き規制部は、前記両ハウジングの嵌合開始時から正規嵌合に至るまでの間、前記フォロアピンに係止するところに特徴を有する。
【発明の効果】
【０００７】
＜請求項１の発明＞
請求項１の発明によると、スライダの係止部が嵌合途上では撓み変形するものの、正規嵌合時には、型抜き空間内で復帰するようにしたから、型抜き空間を積極的に利用することができる。したがって、復帰のための専用スペースを省略することができる分、コネクタの小型化を図ることができる。
【０００８】
＜請求項２の発明＞
請求項２の発明によると、逃がし溝の開き規制部は少なくとも両ハウジングの嵌合途上においてフード部のフォロアピンに係止して、フード部の開き止めを行うようにしたから、嵌合途上においてカム溝とフォロアピンの係合状態を保つことができる。
【０００９】
＜請求項３の発明＞
請求項３の発明によると、開き規制部は両ハウジングの嵌合開始時から正規嵌合に至るまでの間、フォロアピンに係止するから、開き止めに加えて嵌合案内機能を発揮することができる。
【発明を実施するための最良の形態】
【００１０】
＜実施形態１＞
本発明の実施形態１を図１ないし図１８によって説明する。本実施形態におけるコネクタは、図２に示すように、第１ハウジング１と、第２ハウジング２と、スライダ３とを備えており、両ハウジング１，２の嵌合方向と直交する向きにスライダ３を組み付けることによって、両ハウジング１，２の嵌合が行われるようになっている。尚、以下の説明において、前後方向とは両ハウジング１，２の嵌合方向を基準として嵌合面側を前方とする。
【００１１】
第２ハウジング２は合成樹脂製で、図８に示すように、前方に開口するフード部４を有している。フード部４の左側の側壁４Ｂには、両ハウジング１，２の嵌合時に、スライダ３との干渉を回避するための切欠き部４Ｄが、フード部４の開口縁から後方に切り欠くことによって形成されている。フード部４内の奥壁５には、図１０に示すように、図示５個（上段側に２個と下段側に３個）の雄端子金具６が上下２段に分かれて前方に突出している。上段側の雄端子金具６は、下段側の雄端子金具６に比べて幅広に形成されている。
【００１２】
上段側において左右方向に配される両雄端子金具６，６間には、図５に示すように、フード部４内の天井壁４Ｃから下方へ突出する開き止め部７が形成されている。開き止め部７はフード部４の前後方向における全長に亘って形成されており、その後端は奥壁５と連結されている。開き止め部７の左右両側面の天井壁４Ｃ寄りには、図１０に示すように、一対のガイド凹部７Ｂが前後方向における全長に亘って凹み形成されている。また、開き止め部７において切欠き部４Ｄと反対側の側面の前端寄りには、図９に示すように、円弧状に突出する形態のセミロック受け部７Ｃが形成されている。
【００１３】
開き止め部７の前端側には、開き止め部７と同一幅をもって下方に突出する支持突部７Ａが形成され、支持突部７Ａの下面には、軸線を上下方向（両ハウジング１，２の嵌合方向と直角な方向）に向けた円柱形のカム機能部８（本発明におけるフォロアピンとは、開き止め部７とカム機能部８とから構成される。）が下方へ突出するように形成されている。一方、フード部４内の底面４Ａから奥壁５にかけては、図５または図１０に示すように、一対のガイド壁９，９が内方に突出して設けられている。両ガイド壁９，９は、左右方向において下段側の隣り合う雄端子金具６，６の間に配され、かつ前後方向においてガイド壁９の前端が雄端子金具６の前端よりも前方となるように配されている。
【００１４】
フード部４の奥壁５には、開き止め部７のうちガイド凹部７Ｂ内の底面からカム機能部８の下端にかけての後面側を成形するための型抜き孔５Ａが開口している。第２ハウジング２の成形時において支持突部７Ａおよびカム機能部８と型抜き孔５Ａとの間に成形用金型の金型ピンが後方から入り込むフード部４の内部空間が、型抜き空間Ｓとなっている。
【００１５】
第１ハウジング１は合成樹脂製で、図１２に示すように、全体として方形のブロック状をなし、第２ハウジング２のフード部４の内部に嵌合可能となっている。第１ハウジング１の内部には、前後方向に貫通する図示５個のキャビティ１０と、図１３に示すように、左右方向に貫通するスライダ挿入孔１１とが形成されている。スライダ挿入孔１１にはスライダ３が、図１２における左方から組み付け可能とされている。キャビティ１０は、両ハウジング１，２の嵌合に際して雄端子金具６と対応する位置に配されており、キャビティ１０の内部には後方から図示しない雌端子金具が前後方向（両ハウジング１，２の嵌合方向と平行な方向）に沿って挿入可能となっている。キャビティ１０の内壁からは、撓み可能なランス１２が内方に突出して設けられており、雌端子金具がキャビティ１０内の正規位置まで挿入されると、前面壁１０Ａによって前止まりされるとともに、ランス１２が弾性的に係止することで後方への抜止めがなされる。
【００１６】
第１ハウジング１の前面から上面にかけては、図１２に示すように、両ハウジング１，２の嵌合時に開き止め部７が内部に進入するための逃がし溝１３が凹み形成されている。また、第１ハウジング１の前面から下面にかけては、ガイド壁９が内部に進入するためのガイド受け部１４が凹み形成されている。逃がし溝１３内の両側壁には、両ハウジング１，２の嵌合時に開き止め部７のガイド凹部７Ｂと対応する位置に、ガイド突部（本発明における開き規制部に相当する。）１３Ａが前後方向における全長に亘って突出形成されており、ガイド凹部７Ｂに対して上下方向および左右方向に係止可能となっている。ガイド突部１３Ａとガイド凹部７Ｂの係止により、両ハウジング１，２の嵌合開始時においては主に嵌合案内が行われ、嵌合途上では主にフード部４の天井壁４Ｃの上方への開き止めが行われるようになっている。これと併行して、嵌合途上においてはガイド壁９とガイド受け部１４が嵌り合うことによって、両ハウジング１，２の円滑な嵌合動作が行われるようになっている。
【００１７】
逃がし溝１３内には、両ハウジング１，２の嵌合時に開き止め部７のセミロック受け部７Ｃと対応する位置に、円弧状に内方に突出する形態の突部を有するセミロック係止部１３Ｂが前後方向に沿って形成されている。セミロック係止部１３Ｂの背面側（図１２における右側）には、第１ハウジング１の後面に開口する撓み空間Ｔが形成されることで、セミロック係止部１３Ｂは両持ち梁状で、かつ撓み空間Ｔ内において撓み可能となっている。これにより、セミロック係止部１３Ｂは、両ハウジング１，２の嵌合途上でセミロック受け部７Ｃに当接した後、撓み変形しつつセミロック受け部７Ｃを乗り越えて復帰するとともに、両ハウジング１，２を離脱可能に抜止め状態に保持可能となっている。
【００１８】
スライダ挿入孔１１は、図１２における上下のキャビティ１０，１０間を仕切る隔壁を左右方向に貫通することにより形成されている。スライダ挿入孔１１の内部には、図１２における左側（両ハウジング１，２の嵌合方向と直交する方向）からスライダ３が組み付け可能となっている。スライダ挿入孔１１の孔形状は、図１３に示すように、前後方向に横長の略方形をなしている。スライダ挿入孔１１の底面は、逃がし溝１３の底面と面一をなすようにして配されている。逃がし溝１３の内部であってスライダ挿入孔１１の内部には、両ハウジング１，２の嵌合時に、カム機能部８が進入するようになっている。
【００１９】
スライダ挿入孔１１の内壁における上面および下面には、後述するスライダ３の上面側リテーナ１５および下面側リテーナ１６が進入するためのリテーナ挿入孔１７が左右方向に貫通して設けられている。リテーナ挿入孔１７は、上下のキャビティ１０の内部を横切るようにして配されており、上下のキャビティ１０とスライダ挿入孔１１とを連通している。雌端子金具がキャビティ１０の前面壁１０Ａによって前止まりされる正規位置まで挿入された状態では、ランス１２が雌端子金具の本体部に開口するランス孔に係止することによって抜止め状態に保持されるとともに、雌端子金具の本体部の後端が、リテーナ係止孔１７の前縁と対応するように位置するようになっている。また、雌端子金具が、正規挿入位置よりも少し後方の半挿入位置にある状態では、ランス１２がランス孔に係止せず、雌端子金具の本体部の後端が、リテーナ挿入孔１７に臨むようになっている。
【００２０】
第１ハウジング１の前面における上下のキャビティ１０，１０間には、図１２に示すように、前方に開口する肉抜き孔が幅方向に図示４箇所設けられている。このうちスライダ３の組み付け側（図１２の左側）の肉抜き孔はスライダ挿入孔１１と連通し、後述するスライダ３の仮係止突起２１と本係止突起２２がスライダ挿入孔１１の内部から係止可能な係止孔１８となっている。スライダ３を組み付ける際におけるスライダ挿入孔１１の組み付け側の開口縁部には、後述する前進規制突部２５Ａの係止面２５Ｂと係止する仮係止受け面１１Ａが開口縁部から外方に突出して設けられている。また、第１ハウジング１のスライダ３の組み付け側の右外側面における後端部には、上下一対の保護部２６が形成されている。
【００２１】
スライダ３は、合成樹脂製であって、全体として左右方向に長く水平な一枚板状をなす。また、スライダ３はスライダ挿入孔１１に組み付けられると、図１または図２に示す仮係止位置と、図３または図４に示す本係止位置との間を移動可能としてある。尚、本体部２３の左右方向における端部には、スライダ３の組み付け方向と直交する方向に板状をなす操作部１９が形成されており、スライダ３の押し込み操作を可能としている。また、操作部１９の前後方向両端には、スライダ３を引き抜くための引掛け部２０が形成されている。
【００２２】
略方形な板状の本体部２３には、その上面側を切り欠きすることによりカム溝２４が形成されている。カム溝２４は、全体として前後方向および左右方向の両方向に対して斜めをなし、両ハウジング１，２の嵌合途上でカム機能部８と係合可能とされている。カム溝２４の入口２４Ａは、その前方部分が切り欠かれることにより、前方に開口している。また、カム溝２４の終端２４Ｂ手前部分には、カム溝２４の長手方向と直交する方向に戻り規制突部２４Ｃが形成されている。スライダ３が仮係止位置にある状態では、カム溝２４の入口２４Ａが、逃がし溝１３内に位置して、カム機能部８を受け入れ可能とされている。
【００２３】
本体部２３の前端面には、図１５に示すように、左右方向に図示２個の突起が形成されている。図示右側の突起は仮係止突起２１とされ、図示左側の突起は本係止突起２２とされている。仮係止突起２１の左側の面は、切り立った面（第１ハウジング１に対するスライダ３の組み付け方向と直交する面）とされており、仮係止突起２１の右側の面は、右方に向かって下り勾配をなすテーパ面とされている。一方、本係止突起２２の右側の面は、右方に向かって下り勾配をなすテーパ面とされており、本係止突起２２の左側の面は、左方に向かって下り勾配をなすテーパ面とされている。両突起２１，２２の後方には、上下方向に貫通し、かつ左右方向に細長い略方形をなす撓み空間Ｕが設けられることで、両突起２１，２２は両持ち梁状で、かつ撓み空間Ｕ内に撓み可能とされている。
【００２４】
本体部２３の上面における撓み空間Ｕの後方には、図１５に示すように、左右方向に細長い図示２箇所の上面側リテーナ１５が左右方向に並んで上方に突出して設けられている。図示右側の上面側リテーナ１５の前面における右端部には、左右方向に対して斜めをなす上面側傾斜面１５Ａが形成されている。一方、本体部２３の下面における撓み空間Ｕの後方には、図１６に示すように、左右方向に細長い図示２箇所の下面側リテーナ１６が左右方向に並んで下方に突出して設けられている。図示右側の下面側リテーナ１６の前面における右端部には、左右方向に対して斜めをなす下面側傾斜面１６Ａが形成されている。
【００２５】
本体部２３の略中央部には、図１５に示すように、上下方向に貫通し、かつ左右方向に細長い一対のスリットが前後方向に対向状態で設けられ、両スリットで挟まれた領域が上下方向に撓み可能な程度に薄肉に形成された前進規制部（本発明における係止部に相当する）２５となっている。前進規制部２５の上面における左右方向略中央部には、前進規制突部２５Ａが上方に突出して形成されている。前進規制突部２５Ａの上端は、本体部２３の上面よりも上方に突出するように設定されている。前進規制突部２５Ａの左側の面は、左方に向かって下り勾配をなすテーパ面とされており、前進規制突部２５Ａの右側の面は、水平面（第１ハウジング１に対するスライダ３の組み付け方向）に対して直角な係止面２５Ｂとなっている。係止面２５Ｂは、スライダ３が仮係止位置にあるときには仮係止受け面１１Ａと係止してスライダ３が不用意に本係止位置へと移動するのを規制し、仮係止位置から本係止位置に向かうときにはスライダ挿入孔１１の内面に摺接して撓み変形しながら移動して、本係止位置に至ると逃がし溝１３の内部であって型抜き空間Ｓの内部において復帰することが可能とされている。
【００２６】
本実施形態は以上のような構造であって、続いてその作用を説明する。  
まず、第１ハウジング１にスライダ３を組み付けない状態で、第１ハウジング１の各キャビティ１０に対し後方から雌端子金具を挿入する。正規位置まで挿入された雌端子金具は、ランス孔とランス１２との係止により抜止め状態に保持される。また、半挿入状態の雌端子金具は、その本体部の後端をリテーナ挿入孔１７に臨ませた状態となる。全ての雌端子金具を挿入した後、スライダ挿入孔１１に対しスライダ３を左方から差し込むようにして組み付け、操作部１９を指で押し込む。その際、スライダ３の仮係止突起２１は、スライダ挿入孔１１の開口縁部の前縁に当接し、スライダ３の挿入に伴って後方へ撓み変形し、撓んだ状態のまま右方へと移動した後、スライダ３が仮係止位置に到達すると、係止孔１８内において復帰する。このとき、前進規制部２５の前進規制突部２５Ａの係止面２５Ｂが仮係止受け面１１Ａに当接することによってスライダ３が誤って本係止位置へ移動してしまうことが規制される。また、仮係止突起２１の左側の切り立った面が係止孔１８の左側の孔縁部と係止することによってスライダ３が左方へ抜止めされた状態に保持される。
【００２７】
引き続き、操作部１９を指で押し込むことによりスライダ３を仮係止位置から本係止位置へと移動させる。前進規制部２５は、押し込み操作によって下方へと撓み変形し、係止面２５Ｂと仮係止受け面１１Ａとの当接状態が解除されることによって、スライダ３の本係止位置への移動が許容される。スライダ３が本係止位置へと移動する間、前進規制部２５が撓んだ状態のまま右方へと移動し、本係止位置の少し手前で本係止突起２２がスライダ挿入孔１１の開口縁部の前縁に当接し、スライダ３の挿入に伴って後方へ撓み変形し、撓んだ状態のまま右方へと移動した後、係止孔１８に至ると復帰する。このとき、本係止突起２２の左側のテーパ面が係止孔１８の左側の孔縁部と係止することによってスライダ３が左方へセミロック状態（引き戻し可能）に保持される。これと同時に、前進規制部２５は、型抜き空間Ｓ内に入り込んで復帰することになる。
【００２８】
スライダ３の組付けの過程では、上面側リテーナ１５と下面側リテーナ１６が、リテーナ挿入孔１７を通して上下のキャビティ１０内に突出し、スライダ３の移動に伴ってキャビティ１０内を右方（即ち、雌端子金具の挿入方向と直角な方向）へ移動する。このとき、上段のキャビティ１０に半挿入状態の雌端子金具が存在している場合には、上面側傾斜面１５Ａが半挿入状態の雌端子金具の本体部の後端に当接し、スライダ３の挿入に伴ってその上面側傾斜面１５Ａが本体部の後端を押すことにより、半挿入状態の雌端子金具が前方へ押し動かされて正規挿入位置に至り、ランス１２により抜止め状態に保持される。下段側のキャビティ１０に半挿入状態の雌端子金具が存在する場合も、上段側と同様にして雌端子金具が下面側傾斜面１６Ａと本体部の後端との当接により正規挿入位置まで移動する。以上により、第１ハウジング１に対する雌端子金具の挿入が完了する。
【００２９】
この後、第１ハウジング１は、第２ハウジング２との組み付け現場へ搬送されるのであるが、このとき、スライダ挿入孔１７内に組み付けられているスライダ３は、一旦、図１に示す仮係止位置にまで引き戻される。この引き戻しに際して、引掛け部２０を指で摘みながらスライダ３を仮係止位置へ向けて引っ張ると、本係止突起２２が後方へ撓み変形し、本係止突起２２の左側の面と係止孔１８の左側の孔縁部とのセミロック状態が解除されるとともに、前進規制部２５が逃がし溝１３の左側面下端部に当接し、下方に撓み変形することにより、スライダ３の仮係止位置への移動が許容される。スライダ３が仮係止位置へ移動する間、前進規制部２５は撓んだ状態となっており、スライダ３が仮係止位置へ到達すると、前進規制部２５が復帰する。このとき、仮係止突起２１の左側の切り立った面が係止孔１８の左側の孔縁部と係止することによってスライダ３が左方へ抜けて外れてしまうことが規制される。また、スライダ３が仮係止位置にある状態では、カム溝２４の入口２４Ａが、逃がし溝１３内に位置し、カム機能部８との係合に備えて待機する。
【００３０】
そして、第１ハウジング１を第２ハウジング２に嵌合させる際には、第１ハウジング１をフード部４内に浅く嵌合し、カム機能部８を逃がし溝１３内で後方に移動させつつカム溝２４の入口２４Ａに進入させる。両ハウジング１，２の嵌合開始時においては、ガイド突部１３Ａがガイド凹部７Ｂに嵌り合うことによって嵌合の案内がなされ、しばらくすると、ガイド壁９がガイド受け部１４に嵌り合うことによって、より円滑な嵌合動作が可能となる。そして、第２ハウジング２のセミロック係止部１３Ｂが第１ハウジング１のセミロック受け部７Ｃを乗り越えることによって、第２ハウジング２が第１ハウジング１から不用意に抜けてしまうことが規制される。次に、この状態から、スライダ３の操作部１９を左方から押してスライダ３を第１ハウジング１内に押し込む。すると、スライダ３の移動に伴い、カム溝２４とカム機能部８との係合によるカム作用により、第１ハウジング１が第２ハウジング２側に引き寄せられていく。このとき、カム機能部８はカム溝２４から大きな荷重を受けることになるが、この荷重から逃れようとして開き止め部７を押し上げてフード部４の天井壁４Ｃを上方に開くように作用することがある。しかしながら、ガイド突部１３Ａとガイド凹部７Ｂの嵌り合いにより、フード部４の天井壁４Ｃが上方に開くことが規制され、カム溝２４とカム機能部８との係合が保たれる。そして、カム機能部８はカム溝２４の終端２４Ｂの手前で戻り規制突部２４Ｃを乗り越えて、カム溝２４の終端２４Ｂへと移動する。こうして、スライダ３が本係止位置に到達すると、両ハウジング１，２が正規嵌合状態に至り、雄端子金具６と雌端子金具が導通可能に接続された状態となる。このとき、スライダ３の本係止突起２２が係止孔１８内に係止するから、スライダ３が本係止位置に保持される。そして、スライダ３が本係止位置に保持されると、カム溝２４とカム機能部８との係合によるカム作用により、両ハウジング１，２が正規嵌合状態にロックされる。
【００３１】
このように両ハウジング１，２が正規嵌合されて離脱規制された状態では、スライダ３の操作部１９および引掛け部２０がフード部４の外側に露出するが、操作部１９および引掛け部２０の近傍には保護部２６が存在しているので、異物の干渉等が規制される。また、カム溝２４とカム機能部８との係合部分（逃がし溝１３内）は、フード部４により覆い隠される。
【００３２】
第１ハウジング１を第２ハウジング２から離脱する際には、引掛け部２０を摘み、本係止突起２２を撓み変形させつつスライダ３を左方へ引き抜くようにすれば、カム溝２４とカム機能部８との係合によるカム作用によって、第１ハウジング１が第２ハウジング２から離間していく。
【００３３】
上述のように本実施形態によれば、スライダ３の前進規制部２５（係止部）が嵌合途上では撓み変形するものの、正規嵌合時には、型抜き空間Ｓ内で復帰するようにしたから、型抜き空間Ｓを積極的に利用して、デッドスペースの有効利用を図ることが可能となる。したがって、復帰のための専用スペースを省略することができる分、コネクタの小型化を図ることができる。また、第１ハウジング１側のガイド突部１３Ａが少なくとも両ハウジング１，２の嵌合途上においてフード部４側のガイド凹部７Ｂに係止して、フード部４の開き止めを行うようにしたから、カム機能部８とカム溝２４の係合状態を保つことができる。さらに、第１ハウジング１側のガイド突部１３Ａは両ハウジング１，２の嵌合開始時から正規嵌合に至るまでの間、フード部４側のガイド凹部７Ｂに係止するから、開き止めに加えて嵌合案内機能を発揮することができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３５】
（１）実施形態１では仮係止受け面が第１ハウジングの左外側面から左方に突出した位置に設けてあるが、本発明によれば、必ずしもこのような位置に設ける必要はない。要は、スライダの嵌合ストロークと合うようにすれば、仮係止受け面を設ける場所は問わず、例えばスライダ挿入孔の内部に設けてもよい。
【００３６】
（２）実施形態１では前進規制部が上下方向に撓み可能としたが、本発明によれば、撓み方向は上下方向には限定されず、例えば前進規制部が前後方向に撓み可能であってもよい。
【００３７】
（３）実施形態１ではスライダ挿入孔を上下方向の中央部（上下のキャビティ間の隔壁の内部）に設けたが、本発明によれば、スライダ挿入孔を上下いずれかに偏って形成してもよい。
【００３８】
（４）実施形態１では上下方向（高さ方向）への小型化のためにスライダを一枚板状に形成したが、本発明によれば、スライダは一対の板部の端部同士を操作部で連結した略「門」形であってもよい。
【００３９】
（５）実施形態１では第１ハウジング側にスライダ挿入孔を設け、第２ハウジング側にフォロアピンを設けるようにしたが、本発明によれば、スライダ挿入孔およびフォロアピンはそれぞれ逆側のハウジングに設けるようにしてもよい。
【図面の簡単な説明】
【００４０】
【図１】実施形態１においてスライダが仮係止位置にあるときにスライダの前進規制部が第１ハウジングの仮係止受け面に係止している状態を示す正面図
【図２】その一部切り欠き平面図
【図３】そのスライダが本係止位置にあるときの正面図
【図４】その一部切り欠き平面図
【図５】図４のＶ−Ｖ線断面図
【図６】図４のＶＩ−ＶＩ線断面図
【図７】その右側面図
【図８】図１０のＶＩＩＩ−ＶＩＩＩ線断面図
【図９】図１０のＩＸ−ＩＸ線断面図
【図１０】第２ハウジングの正面図
【図１１】その背面図
【図１２】第１ハウジングの正面図
【図１３】その左側面図
【図１４】図１２のＸＩＶ−ＸＩＶ線断面図
【図１５】スライダの平面図
【図１６】その底面図
【図１７】その右側面図
【図１８】その背面図
【符号の説明】
【００４１】
１…第１ハウジング
２…第２ハウジング
３…スライダ
４…フード部
４Ｃ…天井壁
５…奥壁
５Ａ…型抜き孔
７…開き止め部（フォロアピン）
７Ｂ…ガイド凹部
８…カム機能部（フォロアピン）
１１Ａ…仮係止受け面
１３…逃がし溝
１３Ａ…ガイド突部（開き規制部）
２４…カム溝
２５…前進規制部（係止部）
Ｓ…型抜き空間
【図１】
0004577201.tif 000002
【図２】
0004577201.tif 000003
【図３】
0004577201.tif 000004
【図４】
0004577201.tif 000005
【図５】
0004577201.tif 000006
【図６】
0004577201.tif 000007
【図７】
0004577201.tif 000008
【図８】
0004577201.tif 000009
【図９】
0004577201.tif 000010
【図１０】
0004577201.tif 000011
【図１１】
0004577201.tif 000012
【図１２】
0004577201.tif 000013
【図１３】
0004577201.tif 000014
【図１４】
0004577201.tif 000015
【図１５】
0004577201.tif 000016
【図１６】
0004577201.tif 000017
【図１７】
0004577201.tif 000018
【図１８】
0004577201.tif 000019